(57)【要約】      （修正有）【課題】複数のマッサージ動作を、統合した新型針刺フットケア機器を提供する。【解決手段】筐体１、モータ２、ギア群３、針刺箱４及びマッサージプレート５を含み、筐体は、モータとギア群とが装着されるキャビティを有し、筐体には、モータと電気的に接続されるコントロールパネル６が装着され、モータによって動力がギア群に伝達され、筐体の頂面には、前部貫通孔１１、中部貫通孔１２、後部貫通孔１３が開けられ、前部貫通孔、後部貫通孔内には、固定となる針刺箱が装着され、針刺箱内には、内輪刺し針４１及び外輪刺し針４２が上下動可能に装着され、針刺箱の底部には、内輪刺し針及び外輪刺し針に対応して内輪曲面及び外輪曲面を有する曲面プレートが装着され、中部貫通孔内には、可動なマッサージプレートが装着され、マッサージプレート及び曲面プレートは、それぞれ、ギア群の対応する動力伝達軸３１に固定される。【選択図】図１
0003217473.tif 000002
【実用新案登録請求の範囲】
【請求項１】
筐体、モータ、ギア群、針刺箱及びマッサージプレートを含み、筐体は、モータとギア群とが装着されるキャビティを有し、筐体には、モータと電気的に接続され、モータの作動を制御するコントロールパネルが装着されており、モータによって動力がギア群に伝達され、筐体の頂面には、足裏の前足部、土踏まず、後足部に対応して、前部貫通孔、中部貫通孔、後部貫通孔が開けられ、前部貫通孔、後部貫通孔内には、固定となる針刺箱が装着され、針刺箱内には、内輪刺し針及び外輪刺し針が上下動可能に装着され、針刺箱の底部には、内輪刺し針及び外輪刺し針に対応して内輪曲面及び外輪曲面を有する曲面プレートが装着され、中部貫通孔内には、頂面にマッサージヘッドを有する可動なマッサージプレートが装着され、マッサージプレート及び曲面プレートは、それぞれ、ギア群の対応する動力伝達軸に固定され、ギア群は、それぞれ、マッサージプレートを回転駆動して揉みマッサージを行い、曲面プレートを回転駆動して内輪刺し針及び外輪刺し針を上下動させて針刺マッサージを行う
ことを特徴とする新型針刺フットケア機器。
【請求項２】
前記マッサージプレートの頂面は、傾斜面であり、傾斜面には、マッサージヘッドが配置されている
ことを特徴とする請求項１に記載の新型針刺フットケア機器。
【請求項３】
前記針刺箱には、針孔が開けられており、内輪刺し針及び外輪刺し針は、針孔内に可動に挿入され、両端のうち針刺箱内に位置する一方端が大きいほうであり、大きいほうの一方端が曲面プレート上に収まっている
ことを特徴とする請求項１に記載の新型針刺フットケア機器。
【請求項４】
前記針刺箱内には、コントロールパネルに電気的に接続され、その作動がコントロールパネルによって制御されるランプ板が装着されている
ことを特徴とする請求項１に記載の新型針刺フットケア機器。
【請求項５】
前記曲面プレートの内輪曲面及び外輪曲面の両方は、波状をなし、且つ、内輪曲面の波の山及び波の谷と、外輪曲面の波の山及び波の谷とが完全にずらしている
ことを特徴とする請求項１に記載の新型針刺フットケア機器。
【請求項６】
前記曲面プレートの内輪曲面は、波の山と波の谷との高低差が７．５ｍｍである波状をなし、内輪刺し針の上下ストロークを７．５ｍｍにしており、前記曲面プレートの外輪曲面は、波の山と波の谷との高低差が７．５ｍｍである波状をなし、外輪刺し針の上下ストロークを７．５ｍｍにしている
ことを特徴とする請求項１に記載の新型針刺フットケア機器。
【請求項７】
前記筐体のキャビティ内には、コントロールパネルに電気的に接続され、その作動がコントロールパネルによって制御されるエアポンプが装着されており、筐体の頂部には、ホルスター複合エアバッグが装着され、エアポンプは、膨張および収縮のために、そのエア配管がホルスター複合エアバッグのエア口に接続されている
ことを特徴とする請求項１に記載の新型針刺フットケア機器。
【請求項８】
前記筐体は、上筐体と下筐体とが係合してなるものであり、上筐体には、前部貫通孔、中部貫通孔、後部貫通孔が開けられており、下筐体には、ギアカバーで覆われるギア溝が形成されており、ギア溝とギアカバーとによってギヤボックスが形成され、ギア群がギヤボックス内に装着されており、ギア群は、マッサージプレート及び曲面プレートに対応する動力伝達軸が、ギアカバーの軸孔を通過しており、針刺箱は、ギアカバー上にロックされている
ことを特徴とする請求項１に記載の新型針刺フットケア機器。
【請求項９】
前記筐体の頂面には、左右の足裏のそれぞれに対応して、前部貫通孔、中部貫通孔、後部貫通孔が開けられている
ことを特徴とする請求項１に記載の新型針刺フットケア機器。
【考案の詳細な説明】
【技術分野】
【０００１】
本考案は、マッサージ器材、特に新型針刺フットケア機器に関する。
【背景技術】
【０００２】
フットケア機器は、マッサージ科学、経絡学、ホログラフィー、リフレクソロジーを統合したハイテクヘルスケア装置である。その操作が簡便で、効果が顕著で、副作用がないことに加えて、健康作り及び養生にも役立っている。漢方では、人体の五臓六腑がそれぞれ足と対応関係を持っており、人体の足首から下の部位に６０余りのつぼがあり、フットケア機器によって、これらのつぼをマッサージすることで、気と血の巡りを促進し、臓腑を調和する役割を果たすことができ、就寝前のフットケアをやり続ければ、神経が落ち着き、睡眠が促進され、よく眠れるようになる、とされている。フットケア機器は、正に、体調を整え、生活の圧力を緩和する理想的な手段である。しかしながら、従来のフットケア機器は、一般的に単一のマッサージ動作しか有しておらず、マッサージ効果がよくない。
【考案の概要】
【０００３】
本考案の目的は、マッサージ効果を向上させる新型針刺フットケア機器を提供することにある。
【０００４】
上記目的を達成するために、本考案の解決手段としては、筐体、モータ、ギア群、針刺箱及びマッサージプレートを含み、筐体は、モータとギア群とが装着されるキャビティを有し、筐体には、モータと電気的に接続され、モータの作動を制御するコントロールパネルが装着されており、モータによって動力がギア群に伝達され、筐体の頂面には、足裏の前足部、土踏まず、後足部に対応して、前部貫通孔、中部貫通孔、後部貫通孔が開けられ、前部貫通孔、後部貫通孔内には、固定となる針刺箱が装着され、針刺箱内には、内輪刺し針及び外輪刺し針が上下動可能に装着され、針刺箱の底部には、内輪刺し針及び外輪刺し針に対応して内輪曲面及び外輪曲面を有する曲面プレートが装着され、中部貫通孔内には、頂面にマッサージヘッドを有する可動なマッサージプレートが装着され、マッサージプレート及び曲面プレートは、それぞれ、ギア群の対応する動力伝達軸に固定され、ギア群は、それぞれ、マッサージプレートを回転駆動して揉みマッサージを行い、曲面プレートを回転駆動して内輪刺し針及び外輪刺し針を上下動させて針刺マッサージを行う新型針刺フットケア機器である。
【０００５】
マッサージ効果を向上させるために、前記マッサージプレートの頂面は、傾斜面であり、傾斜面には、マッサージヘッドが配置されている。
【０００６】
前記針刺箱には、針孔が開けられており、内輪刺し針及び外輪刺し針は、針孔内に可動に挿入され、両端のうち針刺箱内に位置する一方端が大きいほうであり、大きいほうの一方端が曲面プレート上に収まっている。
【０００７】
針刺マッサージエリアに対する加熱及び赤外線物理療法のために、前記針刺箱内には、コントロールパネルに電気的に接続され、その作動がコントロールパネルによって制御されるランプ板が装着されている。
【０００８】
前記曲面プレートの内輪曲面及び外輪曲面の両方は、波状をなし、且つ、内輪曲面の波の山及び波の谷と、外輪曲面の波の山及び波の谷とが完全にずらしている。
【０００９】
前記曲面プレートの内輪曲面は、波の山と波の谷との高低差が７．５ｍｍである波状をなし、内輪刺し針の上下ストロークを７．５ｍｍにしている。
【００１０】
前記曲面プレートの外輪曲面は、波の山と波の谷との高低差が７．５ｍｍである波状をなし、外輪刺し針の上下ストロークを７．５ｍｍにしている。
【００１１】
足の甲に対する気圧マッサージを実現するために、前記筐体のキャビティ内には、コントロールパネルに電気的に接続され、その作動がコントロールパネルによって制御されるエアポンプが装着されており、筐体の頂部には、ホルスター複合エアバッグが装着され、エアポンプは、膨張および収縮のために、そのエア配管がホルスター複合エアバッグのエア口に接続されている。
【００１２】
前記筐体は、上筐体と下筐体とが係合してなるものであり、上筐体には、前部貫通孔、中部貫通孔、後部貫通孔が開けられており、下筐体には、ギアカバーで覆われるギア溝が形成されており、ギア溝とギアカバーとによってギヤボックスが形成され、ギア群がギヤボックス内に装着されており、ギア群は、マッサージプレート及び曲面プレートに対応する動力伝達軸が、ギアカバーの軸孔を通過しており、針刺箱は、ギアカバー上にロックされている。
【００１３】
制御操作を容易にするために、前記上筐体には、ブラケットが装着され、コントロールパネルは、ブラケットに装着されている。
【００１４】
前記筐体の頂面には、左右の足裏のそれぞれに対応して、前部貫通孔、中部貫通孔、後部貫通孔が開けられている。
【００１５】
上記構造を採用した場合、本考案では、コントロールパネルによってモータの作動を制御して、動力をギア群に伝達し、ギア群の動力伝達軸は、マッサージプレートを回転駆動して、土踏まずに対して揉みマッサージを行い、ギア群の動力伝達軸は、曲面プレートを回転駆動して内輪刺し針及び外輪刺し針を上下動させて、足裏の前足部及び後足部に対して針刺マッサージを行うことにより、足裏のつぼに対する十分なマッサージを実現する。
【００１６】
本考案は、針刺マッサージや揉みマッサージなどの複数のマッサージ動作を統合しており、マッサージ効果を大幅に向上させた。
【００１７】
以下、図面及び具体的な実施例を参照して、本考案を更に詳しく説明する。
【図面の簡単な説明】
【００１８】
【図１】図１は、本考案の立体分解図である。
【図２】図２は、本考案の組合外観図（ホルスター複合エアバッグが取り外されたもの）である。
【図３】図３は、マッサージプレートの断面図である。
【図４】図４は、曲面プレートの平面図である。
【図５】図５は、図４のＡ−Ａ断面図である。
【図６】図６は、図４のＢ−Ｂ断面図である。
【図７】図７は、針刺箱及び曲面プレートなどの立体分解図である。
【図８】図８は、針刺箱及び曲面プレートなどの組合断面図である。
【考案を実施するための形態】
【００１９】
図１〜図８に示すように、本考案に開示の新型針刺フットケア機器は、筐体１、モータ２、ギア群３、針刺箱４及びマッサージプレート５を含む。
【００２０】
筐体１は、モータ２及びギア群３が装着されるキャビティを有している。筐体１には、モータ２に電気的に接続され、コントロールモータ２の作動を制御するコントロールパネル６が装着されている。モータ２によって動力がギア群３に伝達され、具体的に、モータ２のウォーム出力軸によって動力がヘリカルギアに伝達されてから、スパーギアに伝達されるが、ギア群３は、図示の構造に限定されない。
【００２１】
筐体１の頂面には、足裏の前足部、土踏まず、後足部に対応して、前部貫通孔１１、中部貫通孔１２、後部貫通孔１３が開けられている。前部貫通孔１１、後部貫通孔１３内には、固定となる針刺箱４が装着され、針刺箱４内には、内輪刺し針４１及び外輪刺し針４２が上下動可能に装着され、針刺箱４の底部には、内輪刺し針４１及び外輪刺し針４２に対応して内輪曲面４３１及び外輪曲面４３２を有する曲面プレート４３が装着されている。中部貫通孔１２内には、頂面にマッサージヘッド５１を有する可動なマッサージプレート５が装着されている。マッサージプレート５及び曲面プレート４３は、それぞれ、ギア群３の対応する動力伝達軸３１に固定され、ギア群３は、それぞれ、マッサージプレート５を回転駆動して揉みマッサージを行い、曲面プレート４３を回転駆動して内輪刺し針４１及び外輪刺し針４２を上下動させて針刺マッサージを行う。
【００２２】
具体的に、本考案は、作動の際に、コントロールパネル６によってモータ２の作動を制御し、モータ２の出力軸は、動力をギア群３に伝達し、ギア群３における中央部に位置する動力伝達軸３１は、マッサージプレート５を回転駆動して、マッサージプレート５上のマッサージヘッド５１に、土踏まずに対して揉みマッサージを行わせ、ギア群３における前部及び後部に位置する動力伝達軸３１は、対応する曲面プレート４３を回転駆動して、曲面が、回転中に、内輪刺し針４１及び外輪刺し針４２を上下動させて、足裏の前足部及び後足部に対して針刺マッサージを行うことにより、足裏のつぼに対する十分なマッサージを実現する。
【００２３】
更に、土踏まずに対する揉みマッサージ効果を向上させるために、マッサージプレート５の頂面は、傾斜面であり、傾斜面には、マッサージヘッド５１が配置されている。
【００２４】
更に、足裏の前足部及び後足部に対する針刺マッサージ効果を向上させるために、曲面プレート４３の内輪曲面４３１及び外輪曲面４３２の両方は、波状をなし、且つ、内輪曲面４３１の波の山及び波の谷と、外輪曲面４３２の波の山及び波の谷とが完全にずらしている。針刺箱４には、針孔が開けられており、内輪刺し針４１及び外輪刺し針４２は、針孔内に可動に挿入され、両端のうち針刺箱４内に位置する一端が大きいほうであり、大きいほうの一方端が曲面プレート４３上に収まっている。最適の設計として、曲面プレート４３の内輪曲面４３１は、波の山と波の谷との高低差となるｄ＝７．５ｍｍである波状をなし、内輪刺し針４１の上下ストロークを７．５ｍｍにしており、曲面プレート４３の外輪曲面４３２は、波の山と波の谷との高低差となるＤ＝７．５ｍｍである波状をなし、外輪刺し針４２の上下ストロークを７．５ｍｍにしている。
【００２５】
本考案では、針刺箱４内には、コントロールパネル６に電気的に接続され、その作動がコントロールパネル６によって制御されるランプ板４４が更に装着されており、ランプ板４４は、作動すると熱を発生し、針刺マッサージエリア（足裏の前足部及び後足部）に対して加熱及び赤外線物理療法を行うことができる。
【００２６】
足の甲に対する気圧マッサージを実現するために、本考案では、筐体１のキャビティ内には、コントロールパネル６に電気的に接続され、その作動がコントロールパネル６によって制御されるエアポンプ７が更に装着されており、筐体１の頂部には、ホルスター複合エアバッグ８が装着され、エアポンプ７は、膨張および収縮のために、そのエア配管がホルスター複合エアバッグ８のエア口に接続されている。
【００２７】
装着を容易にするために、本考案では、筐体１は、上筐体１４と下筐体１５とが係合してなるものであり、上筐体１４には、前部貫通孔１１、中部貫通孔１２、後部貫通孔１３が開けられており、下筐体１５には、ギアカバー１７で覆われるギア溝１６が形成されており、ギア溝１６とギアカバー１７とによってギヤボックスが形成され、ギア群３がギヤボックス内に装着されており、ギア群３は、マッサージプレート５及び曲面プレート４３に対応する動力伝達軸３１が、ギアカバー１７の軸孔１７１を通過しており、針刺箱４は、ギアカバー１７上にロックされている。
【００２８】
本考案は、両足マッサージ用の製品として設計され、筐体１の頂面には、左右の足裏のそれぞれに対応して、前部貫通孔１１、中部貫通孔１２、後部貫通孔１３が開けられていてもよい。
【００２９】
制御操作を容易にするために、本考案では、上筐体１４には、ブラケット１８が装着され、コントロールパネル６をブラケット１８に装着している。
【００３０】
本考案の具体的な実施例では、針刺マッサージ、揉みマッサージ、加熱物理療法、気圧マッサージといった複数のマッサージ動作を統合しており、マッサージ効果を大幅に向上させた。
【図１】
0003217473.tif 000003
【図２】
0003217473.tif 000004
【図３】
0003217473.tif 000005
【図４】
0003217473.tif 000006
【図５】
0003217473.tif 000007
【図６】
0003217473.tif 000008
【図７】
0003217473.tif 000009
【図８】
0003217473.tif 000010